(57)【要約】【課題】表示面に対向する物体の位置を検出できる位置検出装置および情報処理装置を提供する。【解決手段】位置検出装置は、画像を表示する表示面を有する表示部３と、表示部３の表示面とは反対側に設けられ、表示面に対向する物体の位置を検出する位置検出部５と、を備え、位置検出部５により、表示部３越しに物体の位置を検出する。【選択図】図１
2014215899.tif 000002
【特許請求の範囲】
【請求項１】
画像を表示する表示面を有する表示部と、
前記表示部の前記表示面とは反対側に設けられ、前記表示面に対向する物体の位置を検出する位置検出部とを備えることを特徴とする位置検出装置。
【請求項２】
請求項１に記載の位置検出装置において、
前記位置検出部は、光学式位置センサを備え、前記画像の非表示期間に前記物体の位置を検出することを特徴とする位置検出装置。
【請求項３】
請求項１または請求項２に記載の位置検出装置において、
前記表示面に対向する物体の面方向における位置を検出する面方向位置検出部を備え、
前記位置検出部は、前記表示面の直交方向における前記物体の位置を検出することを特徴とする位置検出装置。
【請求項４】
請求項３に記載の位置検出装置において、
前記位置検出部および前記面方向位置検出部を制御する制御部を備え、
前記位置検出部は、前記表示面とは反対側に設けられた複数の位置センサを備え、
前記制御部は、
前記面方向位置検出部に前記表示面に対向する物体の面方向における位置を検出させ、
前記複数の位置センサのうち、前記検出された前記表示面に対向する物体の面方向における位置に対応する位置の前記位置センサを作動させて、前記直交方向における前記物体の位置を検出させることを特徴とする位置検出装置。
【請求項５】
請求項１から請求項４のいずれかに記載の位置検出装置と、
前記位置検出装置での検出結果に基づく前記物体の位置に対応する処理を実施する位置対応処理部とを備えることを特徴とする情報処理装置。
【発明の詳細な説明】
【技術分野】
【０００１】
本発明は、位置検出装置および情報処理装置に関する。
【背景技術】
【０００２】
従来、表示面に接近するユーザの手などの物体の位置を検出する構成が知られている（例えば、非特許文献１参照）。
非特許文献１の構成では、表示面を囲むインナーリングとアウターリングと呼ばれる２重のリング状に複数のセンサが配置されている。これらインナーリングおよびアウターリングを構成する複数のセンサは、表示面に対して垂直な検出面を形成するように構成されている。そして、インナーリングおよびアウターリングの真上に位置する腕をセンサで検出している。
【先行技術文献】
【非特許文献】
【０００３】
【非特許文献１】Michelle Annett、他３名、"Medusa: A Proximity-Aware Multi-touch Tabletop"、［online］、［平成25年3月6日］、インターネット（URL:www.dgp.toronto.edu/~dwigdor/research/MedusaFinalVersion.pdf）
【発明の概要】
【発明が解決しようとする課題】
【０００４】
しかしながら、非特許文献１のような構成では、表示面の周囲を通過する物体の位置を検出することはできるものの、表示面に対向して存在する物体の位置を検出することは困難であるという問題がある。
【０００５】
本発明は、表示面に対向する物体の位置を検出できる位置検出装置および情報処理装置を提供することを１つの目的とする。
【課題を解決するための手段】
【０００６】
請求項１に記載の発明は、画像を表示する表示面を有する表示部と、前記表示部の前記表示面とは反対側に設けられ、前記表示面に対向する物体の位置を検出する位置検出部とを備えることを特徴とする位置検出装置である。
【０００７】
請求項５に記載の発明は、上述の位置検出装置と、前記位置検出装置での検出結果に基づく前記物体の位置に対応する処理を実施する位置対応処理部とを備えることを特徴とする情報処理装置である。
【図面の簡単な説明】
【０００８】
【図１】本発明の一実施形態に係る情報処理装置の概略構成を示すブロック図。
【図２】前記情報処理装置の概略構成を示す分解斜視図。
【図３】前記実施形態の光学式位置センサの概略構成を示す断面図。
【図４】前記情報処理装置の位置検出方法を示す模式図。
【図５】前記情報処理装置の作用を示すフローチャート。
【図６】前記光学式位置センサによるスキャンタイミングを示すタイミングチャート。
【発明を実施するための形態】
【０００９】
以下、本発明の一実施形態について説明する。
［情報処理装置の構成］
図１に示すように、情報処理装置１は、タッチパネル装置２と、制御装置６とを備える。
タッチパネル装置２は、図２に示すように、表示部３と、タッチセンサ４と、位置検出部５とを備える。これら表示部３、タッチセンサ４、位置検出部５、および制御装置６は、枠体９に収容されている。
枠体９は、長方形状の一方の長辺を構成する前面部９１と、他方の長辺を構成する後面部９２と、一方の短辺を構成する右面部９３と、他方の短辺を構成する左面部９４とを備える。
【００１０】
表示部３は、例えば、有機ＥＬや、無機ＥＬなどを用いた光透過型表示パネルである。表示部３は、図２に示すように、四角形状の表示面３１を備える。
なお、Ｘ軸およびＸ軸に直交するＹ軸を通るＸＹ平面と表示面３１とが平行となり、かつＺ軸がＸＹ平面、すなわち、表示面３１と直交するように各軸を定義している。
また、本実施形態では、一例として、情報処理装置１が、表示面３１を上方（＋Ｚ方向）に向けて水平に配置されている場合について説明するが、上記方向に限らず、表示面３１を任意の方向に向けて配置されてもよい。
【００１１】
タッチセンサ４は、本発明の面方向位置検出部に相当する。タッチセンサ４は、物体が表示面３１に接触または近接したときに、表示面３１と平行なＸＹ平面における面方向の接触位置または近接位置（以下、ＸＹ位置とも称する）を検出し、検出結果を制御装置６に送信する。
具体的に、タッチセンサ４は、赤外線方式により物体のＸＹ位置を検出するものであり、複数の赤外線発光部４１（図１では１個のみ図示）と、赤外線発光部４１と同じ数の赤外線受光部４２（図１では１個のみ図示）とを備える。赤外線発光部４１は、枠体９の前面部９１および右面部９３の内周面に設けられている。赤外線受光部４２は、後面部９２および左面部９４の内周面において、赤外線発光部４１にそれぞれ対向するように設けられている。
なお、タッチセンサ４としては、物体が表示面３１に接触したことを検出可能な静、電容量方式や電磁誘導方式などの各種方式のものを用いてもよい。
【００１２】
赤外線発光部４１は、制御装置６の制御により、表示面３１と平行な方向に（前面部９１に設けられた赤外線発光部４１Ａは−Ｘ方向に、右面部９３に設けられた赤外線発光部４１Ｂは＋Ｙ方向に赤外線を発光する。このような構成により、赤外線発光部４１Ａから−Ｘ方向に発光された赤外線と、赤外線発光部４１Ｂから＋Ｙ方向に発光された赤外線との交点Ｃが、表示面３１に沿って二次元的に配置される。
赤外線受光部４２は、当該赤外線受光部４２に対向する赤外線発光部４１からの赤外線を受光し、この受光レベルに対応する信号を制御装置６へ送信する。
【００１３】
位置検出部５は、図２に示すように、複数の光学式位置センサ５０（図１では１個のみ図示）を備え、表示部３の表示面３１とは反対側（すなわち表示部３の裏側）に配置される。位置検出部５は、表示面３１に対向して存在する物体のＺ方向の位置（以下、Ｚ位置とも称する）を検出し、検出結果を制御装置６に送信する。
光学式位置センサ５０は、光源部５１と、受光部５２とを備える。
光源部５１は、図３に示すように、検出光Ｌ０として、例えば、近赤外領域に波長域を有する赤外線を発光する光源５１１と、光源５１１からの検出光Ｌ０を集光するレンズ５１２とを備える。光源５１１は、赤外線を発光可能であればよく、ＬＥＤ、ＬＤ等の各種光源を用いることができる。なお、光源５１１が発光する光の波長は、タッチセンサ４の赤外線発光部４１が発光する光の波長と同一でもよいし、異なってもよい。この光源部５１は、図３に示すように、検出光Ｌ０の光軸が、ＹＺ平面においてＺ軸に対して所定角度θを成すように配置されている。
受光部５２は、受光面５２１を有する。受光部５２としては、赤外線を検出可能であればよく、例えば、ＣＭＯＳ（Complementary Metal Oxide Semiconductor）センサや、ＣＣＤ（Charge-Coupled Device）センサ等の各種光センサを用いることができる。
受光部５２は、光源部５１が発光し、後述する液面Ｆ１，Ｆ２で反射された反射光を受光する。そして、受光部５２は、受光位置に対応する信号を制御装置６へ送信する。
【００１４】
このように構成された位置検出部５は、図２に示すように、複数の光学式位置センサ５０が、支持体５３によって支持され、Ｘ方向およびＹ方向に並列配置される。この支持体５３は、表示部３の裏面側に位置するように、枠体９に嵌め込まれている。この時、位置検出部５は、複数の光学式位置センサ５０が複数の交点Ｃにそれぞれ対向するように、配置される。
【００１５】
制御装置６は、記憶部７と、制御部８とを備え、タッチパネル装置２を制御する。
記憶部７は、画像をタッチパネル装置２に表示させるための画像データや、タッチパネル装置２を制御する各種プログラムなどを記憶する。
制御部８は、記憶部７に記憶されたプログラムおよびデータをＣＰＵ（Central Processing Unit）が処理することにより構成される、表示制御部８１と、位置検出制御部８２と、位置対応処理部８３とを備える。なお、位置検出制御部８２は、本発明の制御部に相当する。また、表示部３と、タッチセンサ４と、位置検出部５と、位置検出制御部８２とは、本発明の位置検出装置１０を構成する。
【００１６】
表示制御部８１は、表示部３を制御して画像を表示させる。
位置検出制御部８２は、タッチセンサ４および光学式位置センサ５０を制御して、表示面３１に対する物体の三次元位置を特定する。位置検出制御部８２は、タッチセンサ制御部８２１と、光学式位置センサ制御部８２２とを備える。
【００１７】
タッチセンサ制御部８２１は、タッチセンサ４を作動させて、表示面３１に近接または接触した物体のＸＹ位置を特定する。
具体的には、タッチセンサ制御部８２１は、情報処理装置１のメイン電源がオンされると、タッチセンサ４の赤外線発光部４１から赤外線を発光させる。そして、タッチセンサ制御部８２１は、赤外線受光部４２での赤外線の受光レベルに対応する信号を受信し、赤外線受光部４２での受光レベルに基づいて、物体のＸＹ位置を特定する。なお、物体の位置の特定方法は、従来の赤外線方式のものと同じなので説明を省略する。
【００１８】
光学式位置センサ制御部８２２は、タッチセンサ制御部８２１によって特定された物体のＸＹ位置に基づいて、物体のＺ位置、すなわち表示面３１に対する物体のＺ方向の距離を特定する。
具体的には、光学式位置センサ制御部８２２は、複数の光学式位置センサ５０のうち、物体のＸＹ位置に対応する光学式位置センサ５０を作動させる。すなわち、光学式位置センサ制御部８２２は、Ｚ方向から見た平面視において、物体のＸＹ位置（交点Ｃの位置）と重なる位置に配置されている光学式位置センサ５０を作動させる。そして、光学式位置センサ制御部８２２は、光学式位置センサ５０の検出結果（受光位置）と、所定角度θとを用いて物体のＺ位置を特定する。なお、Ｚ位置の詳細な特定方法については、後述する。
【００１９】
位置対応処理部８３は、位置検出制御部８２で特定された物体の三次元位置に対応する処理を行う。
【００２０】
［情報処理装置の作用］
次に、情報処理装置１の作用を説明する。
なお、以下の説明では、図４に示すように、飲料物を収容したグラスＦ３と、その飲料物の液面Ｆ１とを検出対象の物体Ｆとする。また、グラスＦ３は、検出光Ｌ０を透過可能に構成されているものとする。
まず、図５に示すように、位置検出制御部８２のタッチセンサ制御部８２１は、情報処理装置１のメイン電源がオンされると、赤外線発光部４１から赤外線を発光させ、ＸＹ位置のスキャンを実施する（ステップＳ１）。そして、タッチセンサ制御部８２１は、赤外線受光部４２での赤外線の受光レベルに基づいて、グラスＦ３を検出対象の物体Ｆとして検出したか否かを判断する（ステップＳ２）。このステップＳ２において、タッチセンサ制御部８２１は、物体Ｆを検出していないと判断した場合、ステップＳ１の処理を実施する。
【００２１】
一方、タッチセンサ制御部８２１は、ステップＳ２において、物体Ｆを検出したと判断した場合、物体ＦのＸＹ位置を特定する（ステップＳ３）。具体的には、タッチセンサ制御部８２１は、図４に示すように、複数の赤外線発光部４１から発光された赤外線のうち、グラスＦ３の配置位置をＸ方向に通過する赤外線Ｌ３と、Ｙ方向に通過する赤外線Ｌ４とを赤外線受光部４２の受光レベルに基づいて特定する。そして、タッチセンサ制御部８２１は、赤外線Ｌ３と赤外線Ｌ４との交点Ｃを、物体ＦのＸＹ位置として特定する。
【００２２】
この後、光学式位置センサ制御部８２２は、ステップＳ３で特定された物体ＦのＸＹ位置に対応する光学式位置センサ５０のみを作動させて、液面Ｆ１のＺ位置のスキャンを実施する（ステップＳ４）。この時、光学式位置センサ制御部８２２は、表示制御部８１から受信した表示部３を制御する制御信号に基づいて、図６に示すように、表示部３に画像が表示されていない非表示期間（ブランキング期間）にＺ位置のスキャンを実施する。表示部３に画像が表示されている表示期間には、光学式位置センサ制御部８２２は、光学式位置センサ５０を待機させている。
なお、非表示期間は、例えば、表示画像のフレーム間に挿入される期間（Ｖブランク期間）や、Ｚ位置のスキャンを行うために所定のタイミングで設けられた期間である。
【００２３】
そして、光学式位置センサ制御部８２２は、液面のＺ位置を特定する（ステップＳ５）。
例えば、図３に示すように、グラスＦ３の飲料物の液面のＺ位置（高さ）を検出する場合、光学式位置センサ制御部８２２は、以下のような処理を行う。
光学式位置センサ制御部８２２は、光源部５１から検出光Ｌ０を発光させる。光源部５１から所定角度θで発光された検出光Ｌ０は、液面Ｆ１で反射する。液面Ｆ１で反射した反射光Ｌ１は、受光部５２の受光位置Ｐ１で受光される。一方、液面Ｆ１よりも低い液面Ｆ２で反射した反射光Ｌ２は、受光位置Ｐ１よりも光源部５１側の受光位置Ｐ２で受光される。このように、液面Ｆ１，Ｆ２の高さに応じて、受光部５２における受光位置が変化する。光学式位置センサ制御部８２２は、受光部５２が検出した反射光の受光位置と、所定角度θとに基づいて、液面Ｆ１，Ｆ２のＺ位置を特定する。
以上の処理により、液面Ｆ１の三次元位置が特定される。
【００２４】
この後、位置対応処理部８３は、液面Ｆ１の三次元位置に対応した処理（以下、三次元位置対応処理とも称する）を行う（ステップＳ６）。具体的には、例えば、グラスＦ３内部の飲料物の量が少なく、液面Ｆ１のＺ位置（Ｚ方向の距離）が所定値未満である場合、位置対応処理部８３は、飲料物を追加するか否かをユーザに選択させるための選択表示を表示部３に表示させる位置対応処理を行う。また、位置対応処理部８３は、飲料物の残量が少ないことを知らせる報知情報を表示部３に表示させる位置対応処理を行ってもよい。
ステップＳ６で、三次元位置対応処理を行ったのち、再びステップＳ１に戻り、ステップＳ１〜Ｓ６を繰り返す。なお、制御装置６は、再度、液面Ｆ１の三次元位置の検出を行った際に、検出結果が前回と同一の場合は、前回の検出結果に対して行われた三次元位置対応処理を続行してもよい。
【００２５】
なお、ステップＳ６における三次元位置対応処理は、上記一例に限定されない。例えば、ユーザに対して飲料物を提供する提供者に、飲料物が少なくなったことを報知する報知装置を設けてもよい。この場合、例えば、情報処理装置１は、検出した液面Ｆ１の三次元位置、物体ＦのＸＹ位置、および液面Ｆ１のＺ位置が、所定値未満であることを検出した検出結果などを報知装置に適宜送信する。報知装置は、送信された情報に基づいて、飲料物の残量が少ないことを提供者に報知する報知処理を実行する。
【００２６】
［位置検出装置の作用効果］
上述したような実施形態では、以下のような作用効果を奏することができる。
位置検出装置１０は、表示部３と、表示部３の裏側に配置された位置検出部５とを備える。これにより、位置検出装置１０では、表示部３の裏側に配置された位置検出部５によって、表示面３１に対向する物体Ｆの位置を表示部３越しに特定できる。
【００２７】
ここで、表示面３１に近接または接触する物体ＦのＺ位置を特定するために、例えば、表示面３１の周囲を囲む枠体９の上方（＋Ｚ方向）に複数のセンサを設ける構成が考えられる。このような構成では、枠体９の上方に配置されたセンサの配置位置からは表示面３１を見たり、表示面３１に対する操作を行うことができないという不都合があった。また、装置が大型化するという不都合があった。
これに対して、位置検出装置１０では、表示部３の裏側に位置検出部５が配置されている。これにより、ユーザが表示面３１側のいずれの位置からも表示面３１を見たり、操作を行うことができ、位置検出装置１０の操作性や汎用性を向上できる。また、位置検出部５が表示部３の裏側に配置されているので、位置検出装置１０の大型化を抑制できる。
また、汎用性を向上できるため、例えば、表示面３１が水平となるように情報処理装置１を配置して、グラスＦ３などを置くテーブルとして表示面３１を使用し、かつ、ユーザ操作を検出する操作入力装置としてタッチセンサ４を使用することもできる。
【００２８】
位置検出制御部８２は、表示部３から光が発せられる画像の表示期間では光学式位置センサ５０を待機させ、光が発せられていない非表示期間に位置検出部５にＺ位置のスキャンを行わせる。これにより、Ｚ位置のスキャンを行う際に、表示部３が発する光を受光部５２で受光することを防止でき、位置検出部５によるＺ位置の検出精度を向上できる。
【００２９】
位置検出装置１０は、表示面３１に対するＸＹ位置を特定するタッチセンサ４を備え、複数の光学式位置センサ５０が、表示部３の裏側にＸ方向およびＹ方向に二次元的に配置されている。これにより、タッチセンサ４によって物体ＦのＸＹ位置を特定でき、位置検出部５によってＺ位置を特定できる。したがって、物体Ｆの表示面３１に対する三次元位置を高精度に特定できる。
【００３０】
位置検出制御部８２の光学式位置センサ制御部８２２は、タッチセンサ４によって特定されたＸＹ位置に対応する位置に配置された光学式位置センサ５０を作動させ、物体ＦのＺ位置をスキャンさせる。これにより、Ｚ位置のスキャンを行う際に、物体ＦのＸＹ位置に対応する光学式位置センサ５０のみにスキャンさせることができるので、消費電力を抑制できる。
【００３１】
情報処理装置１は、特定された物体Ｆの三次元位置に基づく処理を行う位置対応処理部８３を備える。これにより、表示部３に検出結果を表示させたり、報知装置等の外部装置に対して、必要に応じて検出結果を送信する等の処理を行うことができる。
【００３２】
本実施形態では、表示部３として有機ＥＬや無機ＥＬ等を用いた自発光型の光透過型表示パネルを例示した。この場合、表示部３から赤外線が発光されることがないように表示部３を構成することができる。すなわち、表示部３から発せられる光（画像光）の波長域と、光学式位置センサ５０の検出光の波長域とを異なる波長域とすることができる。したがって、受光部５２を検出光の波長域のみを検出可能に構成することにより、位置検出部５によるＺ位置の検出精度をより一層向上させることができる。
【００３３】
［変形例］
なお、本発明は前述の実施形態に限定されるものではなく、本発明の目的を達成できる範囲での変形、改良等は本発明に含まれるものである。
例えば、位置検出部５によるＺ位置のスキャンを表示部３の非表示期間に行うことに限定されず、表示期間に行ってもよい。特に、上述のように、表示部３からの画像光と検出光とを異なる波長域とし、光学式位置センサ５０を検出光の波長域のみ検出可能とする構成では、光学式位置センサ５０が画像光を検出することがない。したがって、表示期間にＺ位置のスキャンを行っても検出精度が低下しない。このように、画像光と検出光とを異なる波長域とし、受光部５２を検出光の波長域のみを検出可能に構成することにより、位置検出部５によるＺ位置のスキャンを任意のタイミングで実行でき、スキャンタイミングの自由度を向上できる。
【００３４】
上記実施形態では、表示部３として有機ＥＬや無機ＥＬ等の自発光型の光透過型表示パネルを備える構成を例示したが、本発明はこれに限定されない。表示部３は、光透過型の液晶パネルであってもよい。また、表示部３は、プロジェクタ装置によって画像が投影されるスクリーンであってもよい。
【００３５】
なお、表示部３として液晶パネルを用いる場合、位置検出部５によるＺ位置のスキャンを行う非表示期間は、例えば、バックライトを消灯させるとともに、全画素において検出光が透過可能なオールホワイト状態となるように液晶パネルを制御する。これにより、光学式位置センサ５０がバックライトから発せられる光を誤検出することを抑制でき、検出精度を向上できる。
また、タッチセンサ４によって特定された物体ＦのＸＹ位置を少なくとも含む所定領域について、検出光が透過可能なホワイト状態となるように液晶パネルを制御してもよい。
【００３６】
上記実施形態では、複数の光学式位置センサ５０を並列配置する際に、赤外線発光部４１からの赤外線の交点Ｃに対向する位置に、１つの光学式位置センサ５０を配置するとしたが、本発明はこれに限定されない。例えば、１つの交点Ｃ（すなわち、検出位置）に対して、複数の光学式位置センサ５０が対応するように、光学式位置センサ５０を配置してもいい。また、１つの光学式位置センサ５０に対向する位置に、複数の検出位置が形成されるようにタッチセンサ４を構成してもよい。
【００３７】
上記実施形態では、表示部３の裏側に沿って、表示面３１の略全面に重なる位置に、複数の光学式位置センサ５０をＸ方向およびＹ方向に並列配置する構成を例示したが、本発明はこれに限定されない。例えば、表示面３１の隅部や、中央部や、枠体９に沿う領域等の所定の領域に対向する位置に、光学式位置センサ５０を配置する構成としてもよい。また、所定の位置に１つの光学式位置センサ５０を配置する構成としてもよい。
また、１つまたは複数の光学式位置センサ５０を表示部３の裏側に沿って移動させる移動機構を設け、タッチセンサ４によって特定された物体ＦのＸＹ位置に光学式位置センサ５０を移動させる構成としてもよい。
上記実施形態では、表示部３の裏側に沿って光学式位置センサ５０を配置するとしたが、本発明はこれに限定されず、表示部３と光学式位置センサ５０との間に、検出光を透過可能な他の部材を配置してもよい。
【００３８】
上記実施形態では、面方向位置検出部として、赤外線方式、静電容量方式および電磁誘導方式などの各種方式のタッチセンサ４を例示したが、本発明はこれに限定されない。例えば、表示面３１に沿って配置されたアクリル板と、アクリル板に光を入射させる光源と、アクリル板の応力が加わった位置から漏れ出す光を検出する検出装置とを備えるＦＴＩＲ（Frustrated Total Internal Reflection）方式のセンサを、面方向位置検出部として用いてもよい。
なお、面方向位置検出部は、表示面３１に対向する物体Ｆの、表示面と平行な面方向における位置を検出することができるものであればよく、上記実施形態および変形例に制限されない。
【００３９】
上記実施形態では、ＸＹ位置を特定する面方向位置検出部としてのタッチセンサ４を備える構成としたが、本発明はこれに限定されず、タッチセンサ４などの面方向位置検出部を備えない構成としてもよい。この場合、位置検出部５によって、ＸＹ位置を特定し、三次元位置を特定するように構成してもよい。具体的には、全ての光学式位置センサ５０の光源５１１から検出光を発光させ、物体Ｆからの反射光を検出した光学式位置センサ５０の位置を、ＸＹ位置として特定してもよい。このような場合でも、上記実施形態のように、表示面３１の全面に対向するように、複数の光学式位置センサ５０を並列配置することにより、表示面３１の任意の位置に対向する物体Ｆの三次元位置を高精度に特定できる。
【００４０】
上記実施形態では、面方向位置検出部としてのタッチセンサ４によって物体ＦのＸＹ位置を特定し、このＸＹ位置に対応する光学式位置センサ５０を作動させてＺ位置を特定するとしたが、本発明はこれに限定されない。例えば、面方向位置検出部を物体ＦのおおよそのＸＹ位置を検出可能な構成としてもよい。この場合、位置検出装置１０は、検出された物体ＦのおおよそのＸＹ位置を少なくとも含む所定領域に、平面視で重なる位置に配置された１または複数の光学式位置センサ５０を作動させる。そして、位置検出装置１０は、光学式位置センサ５０によって、物体ＦのＸＹ位置を含む三次元位置を特定する。このような構成でも、位置検出装置１０は、物体Ｆの三次元位置を高精度に特定できる。また、このような構成では、面方向位置検出部は、表示面３１に対向する物体ＦのおおよそのＸＹ位置を検出可能であればよい。したがって、面方向位置検出部の構成を簡略化できる。
【００４１】
光学式位置センサ５０は、検出光Ｌ０の波長域の光のみを受光部５２で検出可能に構成してもよい。また、光学式位置センサ５０は、赤外波長域の光を検出光として用いる構成としたが、可視光域の光を検出光として用いてもよい。
上記実施形態では、位置センサとして光学式位置センサ５０を用いる構成としたが、本発明はこれに限定されない。例えば、電磁波や音波などにより、表示部３に対向して配置された物体Ｆの位置を、表示部３越しに検出できる位置センサを用いてもよい。
【００４２】
上記実施形態では、表示部３は、矩形状の表示面３１を有する構成としたが、本発明はこれに限定されない。例えば、表示面３１が円形、楕円形、各種多角形などの種々の形状であってもよい。
上記実施形態では、表示部３は、平面状の表示面３１を有する構成としたが、本発明はこれに限定されず、曲面状の表示面３１を有する構成であってもよい。この場合、面方向位置検出部は、表示面と平行な曲面の面方向における位置を検出し、位置検出部は、表示面の直交方向における位置を検出する。これにより、曲面状の表示面に対する物体の三次元位置を特定できる。
【００４３】
本発明の位置検出装置および情報処理装置としては、家電機器、業務用インフォメーション、車内インフォメーションの表示部に用いられるものであってもよい。
また、上述した各機能をプログラムとして構築したが、例えば、回路基板などのハードウェアあるいは１つのＩＣなどの素子にて構成するなどしてもよく、いずれの形態としても利用できる。なお、プログラムや別途記録媒体から読み取らせる構成とすることにより、上述したように取扱が容易で、利用の拡大が容易に図れる。
【００４４】
その他、本発明の実施の際の具体的な構造および手順は、本発明の目的を達成できる範囲で他の構造などに適宜変更できる。
【符号の説明】
【００４５】
１…情報処理装置
３…表示部
４…タッチセンサ
５…位置検出部
１０…位置検出装置
３１…表示面
５０…光学式位置センサ
８２…位置検出制御部
８３…位置対応処理部
【図１】
2014215899.tif 000003
【図２】
2014215899.tif 000004
【図３】
2014215899.tif 000005
【図４】
2014215899.tif 000006
【図５】
2014215899.tif 000007
【図６】
2014215899.tif 000008